(57)【要約】      （修正有）【課題】出幣器の出幣口調整装置の提供。【解決手段】出幣口４２に設置されて出幣規格及び硬貨放出方向を制御する調整装置であり、集幣漏斗１、回転盤２、動力装置３、ベース４、調整装置５を具え、集幣漏斗内部に収容空間があり、且つ底部に送出口１４が設けられ、送出口中に回転盤が設けられ、並びに回転盤に等距離に複数の置幣孔２１１が設けられ、回転盤下方に動力装置が連設され、動力装置で回転盤が駆動され回転し、該動力装置はベース内に取り付けられ、ベースの一側に出幣口が設けられ、出幣口部分に調整装置が設けられ、調整装置を利用して出幣口の出幣空間の大きさが制御される。さらに出幣口から離れた別側に検出装置４５が設けられ、集幣漏斗内の硬貨放出の状況を検出する。【選択図】図２
0003104019.tif 000002
【実用新案登録請求の範囲】
【請求項１】
出幣器の出幣口に取り付けられて出幣規格及び硬貨放出方向を制御する調整装置であり、集幣漏斗、回転盤、動力装置、ベース、調整装置を具え、該集幣漏斗の内部に収容空間があり、且つ底部に送出口があり、該送出口中に回転盤が収容され、並びに該回転盤に等間隔で複数の置幣孔が設置され、該回転盤の下方に動力装置が連設され、且つ動力装置がベース内に取り付けられ、集幣漏斗がベース上方に位置し、ベースの一側に出幣口が設けられ、該出幣口の一側に限位部が設けられ、限位部と反対の一側に移動溝が設けられ、且つ移動溝部分に弾幣手段が設けられた出幣器の出幣口調整装置において、
該ベースの出幣口部分の限位部に案内手段が設けられ、該案内手段が限位部内で偏移位置を調整可能とされ、案内手段の一側の案内辺が出幣口に向けて偏移させられて硬貨が出幣口に案内され送出されることを特徴とする、出幣器の出幣口調整装置。
【請求項２】
請求項１記載の出幣器の出幣口調整装置において、案内手段に調整ロッド部品が設けられたことを特徴とする、出幣器の出幣口調整装置。
【請求項３】
請求項１記載の出幣器の出幣口調整装置において、案内手段の案内辺の別側辺に複数の係止凸歯が設けられたことを特徴とする、出幣器の出幣口調整装置。
【請求項４】
請求項１記載の出幣器の出幣口調整装置において、出幣口の限位部の側辺に複数の限位係止溝が設けられたことを特徴とする、出幣器の出幣口調整装置。
【請求項５】
請求項１記載の出幣器の出幣口調整装置において、弾幣手段が回転座体を具え、該回転座体に複数の弾幣部品が設けられ、回転座体に回転部品が設けられ、回転部品に複数の弾性部品が設けられ、且つ弾性部品の上方にストッパが設けられたことを特徴とする、出幣器の出幣口調整装置。
【請求項６】
請求項５記載の出幣器の出幣口調整装置において、弾性部品に設けられたストッパがスチールボールとされたことを特徴とする、出幣器の出幣口調整装置。
【請求項７】
請求項５記載の出幣器の出幣口調整装置において、弾性部品に設けられたストッパが金属製球体とされたことを特徴とする、出幣器の出幣口調整装置。
【請求項８】
請求項１記載の出幣器の出幣口調整装置において、調整装置の上にカバー板が設けられ、該カバー板に調整孔が設けられたことを特徴とする、出幣器の出幣口調整装置。
【請求項９】
請求項１記載の出幣器の出幣口調整装置において、ベースの出幣口から離れた一側に検出装置が設けられて集幣漏斗内の硬貨放出状況を検出することを特徴とする、出幣器の出幣口調整装置。
【考案の詳細な説明】
【技術分野】
【０００１】
本考案は出幣器の出幣口調整装置に係り、特に、出幣器の出幣口に設置されて、出幣規格を制御する調整装置であり、調整装置により出幣口部分で案内、限位を行なうことにより、出幣口の出幣空間の大きさを調整し、並びに検出装置で集幣漏斗内の硬貨放出の状況を検出する、出幣器の出幣口調整装置に関する。
【背景技術】
【０００２】
出幣器はゲーム機等の装置に用いられる硬貨計数送出構造である。硬貨は金額の違いによりサイズに違いがあり、その直径及び厚さが異なる。或いはゲームセンター等で使用される専用のコインにもサイズの違いがある。このため出幣器は硬貨のサイズにより異なる形式の出幣口を有して出幣口より硬貨を放出する。周知の出幣器（図１０参照）はモータで回転盤Ａ１を駆動し、該回転盤Ａ１上に等間隔で複数のピンＡ２が凸設され、並びに出幣口Ａ３の内側及び外側に案内手段Ａ４とマイクロスイッチＡ５が設けられ、回転盤Ａ１の回転により、漏斗Ａ６内の硬貨がピンＡ２に押されて出幣口Ａ３の内側に送られ、並びにピンＡ２の押動と案内手段Ａ４の案内により出幣口Ａ３より送出される。硬貨が出幣口Ａ３を通過する時にマイクロスイッチＡ５に接触し、これにより計数が行なわれる。
【０００３】
上述の周知の出幣器の構造は、その出幣口Ａ３が固定空間の設計とされるため、異なる金額の硬貨の出幣には適用できず、出幣口Ａ３の空間が硬貨の直径より小さければ、硬貨は出幣口Ａ３より放出されない。出幣口Ａ３の空間が硬貨の直径より大きければ、硬貨が放出される時にあちこちに跳ねる。このため硬貨の直径に接近する出幣口Ａ３を選択する必要があり、このため異なる規格の出幣口を具えた出幣器を製造して、異なる金額の硬貨を放出できるようにする必要があり、ゆえに製造コストが増した。
【０００４】
本件出願人による特許文献１に記載の出幣器は、フレーム、漏斗、回転盤、サーボモータ、駆動盤、弾幣機構、弾性スチールボール等の部品を具え、硬貨を漏斗中で硬貨孔中に有効に落とし並びに空転の発生を防止し、硬貨詰まりの状況を減少すると共に、正確に出幣数量を制御する構造とされている。しかし、図１１に示されるこの構造は以下のような欠点を有している。
１．駆動盤Ｂ１が多角形設計とされ、その各辺の円弧辺Ｂ２は特定の硬貨Ｂ３に照らして設計され、これにより異なるサイズの硬貨Ｂ３は特定の駆動盤Ｂ１に組み合わせなければならず、多数の駆動盤Ｂ１を製造する必要があり、共用の実用効果を達成できず、経済性に符合しない。
２．駆動盤Ｂ１と弾幣機構Ｂ４の間に形成されるギャップＢ１１は固定された形式とされ、幅の調整が行なえず、使用時は適合するサイズの硬貨Ｂ３でなければ駆動盤Ｂ１と弾幣機構Ｂ４の間のギャップＢ１１を通過できない。
３．駆動盤Ｂ１の一側はバネ片Ｂ５で支持され、弾幣機構Ｂ４もまたバネＢ６の制限を受け、このため、硬貨Ｂ３が駆動盤Ｂ１の円弧辺Ｂ２及び弾幣機構Ｂ４のローラＢ７部分に当接し、回転盤Ｂ８の底面の支持縁は比較的大きな力で回転盤Ｂ１及び弾幣機構Ｂ４の具備する反弾力を克服しなければならず、回転盤Ｂ８が回転時に大きな抵抗力を受ける。
【０００５】
【特許文献１】台湾実用新案公告第３２１３２４号明細書
【考案の開示】
【考案が解決しようとする課題】
【０００６】
上述の従来の出幣器の構造の欠点を鑑み、本考案は異なるサイズの硬貨により、出幣口空間の大きさを調整できる調整装置を提供するものである。
【０００７】
本考案の主要な目的は、出幣器の出幣口部分に調整装置を設け、この調整装置に案内手段、弾幣手段、及び検出装置を設け、該案内手段の一側に案内辺を設け、且つ案内手段を出幣口の限位部に設け、並びに限位部中で適当な位置に移動調整可能とし、出幣口の出幣空間の大きさの調整を達成するものとし、出幣器を多種類の異なる寸法の硬貨の出幣作業に使用できるようにし、且つ出幣口にあって案内手段と反対の別側の移動孔部分に弾幣手段を設け、弾幣手段を利用して回転盤の置幣孔内の硬貨をブロックし、並びに硬貨を出幣口に弾き出すようにすることにある。
【０００８】
本考案の次の目的は、案内手段の一側辺に複数の係止凸歯を設け、且つ係止凸歯に対応するベースの出幣口の限位部に限位係止溝を設け、案内手段の係止凸歯により限位部の限位係止溝を係止できるようにして、調整と位置決めの二重作用を達成できるようにすることにある。
【０００９】
本考案の別の目的は、出幣口部分の調整装置にカバー板を設け、該カバー板に調整孔を設け、緒末委装置の案内手段に調整ロッド部品を設け、調整ロッド部品をカバー板の調整孔外に延伸させることにある。
【課題を解決するための手段】
【００１０】
請求項１の考案は、出幣器の出幣口に取り付けられて出幣規格及び硬貨放出方向を制御する調整装置であり、集幣漏斗、回転盤、動力装置、ベース、調整装置を具え、該集幣漏斗の内部に収容空間があり、且つ底部に送出口があり、該送出口中に回転盤が収容され、並びに該回転盤に等間隔で複数の置幣孔が設置され、該回転盤の下方に動力装置が連設され、且つ動力装置がベース内に取り付けられ、集幣漏斗がベース上方に位置し、ベースの一側に出幣口が設けられ、該出幣口の一側に限位部が設けられ、限位部と反対の一側に移動溝が設けられ、且つ移動溝部分に弾幣手段が設けられた出幣器の出幣口調整装置において、
該ベースの出幣口部分の限位部に案内手段が設けられ、該案内手段が限位部内で偏移位置を調整可能とされ、案内手段の一側の案内辺が出幣口に向けて偏移させられて硬貨が出幣口に案内され送出されることを特徴とする、出幣器の出幣口調整装置としている。
請求項２の考案は、請求項１記載の出幣器の出幣口調整装置において、案内手段に調整ロッド部品が設けられたことを特徴とする、出幣器の出幣口調整装置としている。
請求項３の考案は、請求項１記載の出幣器の出幣口調整装置において、案内手段の案内辺の別側辺に複数の係止凸歯が設けられたことを特徴とする、出幣器の出幣口調整装置としている。
請求項４の考案は、請求項１記載の出幣器の出幣口調整装置において、出幣口の限位部の側辺に複数の限位係止溝が設けられたことを特徴とする、出幣器の出幣口調整装置としている。
請求項５の考案は、請求項１記載の出幣器の出幣口調整装置において、弾幣手段が回転座体を具え、該回転座体に複数の弾幣部品が設けられ、回転座体に回転部品が設けられ、回転部品に複数の弾性部品が設けられ、且つ弾性部品の上方にストッパが設けられたことを特徴とする、出幣器の出幣口調整装置としている。
請求項６の考案は、請求項５記載の出幣器の出幣口調整装置において、弾性部品に設けられたストッパがスチールボールとされたことを特徴とする、出幣器の出幣口調整装置としている。
請求項７の考案は、請求項５記載の出幣器の出幣口調整装置において、弾性部品に設けられたストッパが金属製球体とされたことを特徴とする、出幣器の出幣口調整装置としている。
請求項８の考案は、請求項１記載の出幣器の出幣口調整装置において、調整装置の上にカバー板が設けられ、該カバー板に調整孔が設けられたことを特徴とする、出幣器の出幣口調整装置としている。
請求項９の考案は、請求項１記載の出幣器の出幣口調整装置において、ベースの出幣口から離れた一側に検出装置が設けられて集幣漏斗内の硬貨放出状況を検出することを特徴とする、出幣器の出幣口調整装置としている。
【考案の効果】
【００１１】
本考案は実施使用時に以下のような長所を有している。
１．出幣口部分での調整装置の案内手段、ストッパ及び移動部品の硬貨押動により、どのサイズの硬貨にも運用でき、部品交換が不要で、調整装置の適用性が良好である。
２．出幣口部分で調整装置が硬貨の出幣方向を調整して任意寸法の硬貨を制限なく通過させられる。
３．回転盤が硬貨を出幣口に送り、もし弾幣手段の阻止を受けると、弾幣手段下方の回転座体の弾性回復部品の弾力により弾幣手段が押動され、並びに硬貨が出幣口に送られ、回転盤と硬貨が抵抗を受けることなく硬貨が順調に放出される。
４．ベース上の出幣口より離れた別側に検出装置が設けられ、ベース上方の集幣漏斗内部の硬貨放出状況を検出できる。
【考案を実施するための最良の形態】
【００１２】
図１、２、３は本考案の立体外観図、立体分解図及びベースの立体外観図である。これらの図に示されるように、本考案の出幣器は、集幣漏斗１、回転盤２、動力装置３、ベース４及び調整装置５で組成されている。
【００１３】
該集幣漏斗１は框形箱形状を呈し、内部に収容空間１１を具え、並びに収容空間１１内に駆動手段１２を具え、該駆動手段１２の一端に固定部１２１があり、且つ固定部１２１がネジ部品１２２で集幣漏斗１の側壁１３に固定され、該集幣漏斗１の収容空間１１底部に送出口１４が設けられている。
【００１４】
該回転盤２は円形盤状を呈し、その盤面２１に複数の置幣孔２１１が設けられ、該盤面２１の底部に各置幣孔２１１の位置に対応して複数の押し上げ部品２１２が設けられている。
【００１５】
該動力装置３は伝動モータ３１を具え、並びに伝動モータ３１により回転機構３２を駆動して回転動作を発生させる。
【００１６】
該ベース４は収容室４１を具え、並びに上面の一側に出幣口４２が形成され、且つ出幣口４２側辺に限位部４３が設けられ、該限位部４３に複数の限位係止溝４３１が設けられ、限位部４３に対向する一側に移動溝４４が設けられている。
【００１７】
該調整装置５は案内手段５１、弾幣手段５２及びカバー板５３を具え、該案内手段５１の一側に案内辺５１１が設けられ、もう一側に複数の係止凸歯５１２が設けられ、且つ案内手段５１の上方に調整ロッド部品５１３が設けられ、該弾幣手段５２は回転座体５２１を具え、且つ回転座体５２１の一側に複数の移動部品５２１１が設けられ、移動部品５２１１より離れた別側に枢軸部５２１２が設けられ、回転座体５２１が枢軸部５２１２を中心として回転可能とされ、該回転座体５２１の底部に弾性回復部品５２１３が設けられ、回転座体５２１が回転時に弾性回復部品５２１３を利用してそれがもとの位置に戻され、また、回転座体５２１上に別に回転部品５２２が設けられ、回転部品５２２が回転座体５２１上で回転可能とされ、該回転部品５２２に複数の弾性部品５２２１が設けられ、各弾性部品５２２１の上方にストッパ５２２２が設けられ、カバー板５３は案内手段５１及び弾幣手段５２の上方を被覆し、並びにカバー板５３に調整孔５３１が設けられている。
【００１８】
上述のベース４の出幣口４２部分は、放出する硬貨のサイズにより、まず調整装置５の案内手段５１が限位部４３中で適当な位置に移動させられ、出幣口４２が適当な大きさの出幣空間を具備するものとされる。回転盤２は集幣漏斗１の収容空間１１底部の送出口１４内に枢設され、且つ回転盤２底部は動力装置３に接続された駆動機構３２とされ、並びに伝動モータ３１により駆動機構３２が駆動されて回転盤２が駆動されて送出口１４内で回転する。集幣漏斗１の収容空間１１内に硬貨を挿入し、且つ送出口１４部分の回転盤２を回転開始させ、並びに収容空間１１内部の硬貨に反転を発生させ、並びに駆動手段１２で硬貨を攪拌して硬貨を順調に逐一回転盤２の置幣孔２１１に落とし、さらに回転盤２下方の押し上げ部品２１２により硬貨を出幣口４２部分に押し出し、回転盤２の回転により発生する遠心力で押し上げ部品２１２により硬貨を押し出し、硬貨を出幣口４２より放出する。
【００１９】
ベース４の上方の出幣口４２より離れた別側に検出装置４５が設けられ、検出装置４５により集幣漏斗１内の硬貨の放出状況が順調か否かを検出する。
【００２０】
さらに図３、４、５、６の本考案のベースの立体外観図、ベースの立体分解図、案内手段の調整前の平面図、案内手段が移動させられた後の平面図に示されるように、硬貨放出前に、先ず硬貨のサイズの大小或いは金額の違いにより、ベース４上の調整装置５の案内手段５１に対して調整を行ない、カバー板５３の調整孔５３１より突出する調整ロッド部品５１３の作動を利用し、調整ロッド部品５１３で案内手段５１を引き起こして限位部４３より離し、案内手段５１の案内辺５１１を出幣口４２部分で適当な角度に調整し、さらに案内手段５１を限位部４３内に置き、並びに案内手段５１の係止凸歯５１２で限位部４３の限位係止溝４３１を係止し（図６、７、８、９も参照）、これにより出幣口４２の出幣空間の大きさを調整する目的を達成し、且つ回転盤２が硬貨を出幣口４２部分に押し出す時、回転盤２の回転により発生する遠心力を利用して硬貨を放出し、硬貨を案内手段５１の案内辺５１１に衝突させ、並びに案内辺５１１の案内により適当な大きさの出幣口４２より放出する。
【００２１】
回転盤２の回転の過程中、回転盤２の底部の押し上げ部品２１２が硬貨を出幣口４２に押し出して未だ硬貨を放出しない時、硬貨は弾幣手段５２のストッパ５２２２に接触し、該ストッパ５２２２が硬貨の押圧を受けてぐらつき、並びに弾性部品５２２１の弾力により硬貨を押動して移動部品５２１１に接触させ、並びに移動部品５２１１を押動してベースの移動溝４４内で移動させ、このとき、移動部品５２１１の下方の回転座体５２１が弾性回復部品５２１３の回復作用を受けて引っ張られ、移動部品５２１１がもとの位置に回復し、また移動部品５２１１の回復の動力を利用し、硬貨が出幣口４２より弾き出される。
【００２２】
以上は本考案の好ましい実施例の説明であって、本考案の請求範囲を限定するものではなく、本考案に基づきなしうる細部の修飾或いは改変は、いずれも本考案の請求範囲に属するものとする。
【図面の簡単な説明】
【００２３】
【図１】本考案の立体外観図である。
【図２】本考案の立体分解図である。
【図３】本考案のベースの立体外観図である。
【図４】本考案のベースの立体分解図である。
【図５】本考案の案内手段の調整前の平面図である。
【図６】本考案の案内手段の一段移動後の平面図である。
【図７】本考案の案内手段の二段移動後の平面図である。
【図８】本考案の案内手段の三段移動後の平面図である。
【図９】本考案の案内手段の四段移動後の平面図である。
【図１０】周知の出幣器の立体外観図である。
【図１１】もう一種の周知の出幣器の平面図である。
【符号の説明】
【００２４】
１  集幣漏斗
１１  収容空間                            １２２  ネジ部品
１２  駆動手段                            １３  側壁
１２１  固定部                            １４  送出口
２  回転盤
２１  盤面                                ２１２  押し上げ部品
２１１  置幣孔
３  動力装置
３１  伝動モータ                          ３２  駆動機構
４  ベース
４１  収容室                              ４３１  限位係止溝
４２  出幣口                              ４４  移動溝
４３  限位部                              ４５  検出装置
５  調整装置
５１  案内手段                            ５２１２  枢軸部
５１１  案内辺                            ５２１３  弾性回復部品
５１２  係止凸歯                          ５２２  回転部品
５１３  調整ロッド部品                    ５２２１  弾性部品
５２  弾幣手段                            ５２２２  ストッパ
５２１  回転座体                          ５３  カバー板
５２１１  移動部品                        ５３１  調整孔
Ａ１  回転盤                              Ａ４  案内手段
Ａ２  ピン                                Ａ５  マイクロスイッチ
Ａ３  出幣口                              Ａ６  漏斗
【図１】
0003104019.tif 000003
【図２】
0003104019.tif 000004
【図３】
0003104019.tif 000005
【図４】
0003104019.tif 000006
【図５】
0003104019.tif 000007
【図６】
0003104019.tif 000008
【図７】
0003104019.tif 000009
【図８】
0003104019.tif 000010
【図９】
0003104019.tif 000011
【図１０】
0003104019.tif 000012
【図１１】
0003104019.tif 000013